(57)【要約】【課題】乾燥状態にある洗濯物を均一に湿らせること。【解決手段】制御装置は、回転ドラム１０１を回転駆動させ、桟１０１ａが洗濯物を掻き揚げることにより洗濯物が回転ドラム１０１の内周面にほぼ張り付いた状態で、回転ドラム１０１の内部にミストを噴霧する。【選択図】図１
2010088717.tif 000002
【特許請求の範囲】
【請求項１】
水平軸の周りに回転可能に支持され、少なくとも左右の一端が開口し、乾燥状態の洗濯物が収容される回転ドラムと、
前記回転ドラムを回転駆動する駆動手段と、
前記回転ドラムの内周面に突設され、前記回転ドラムの回転に伴って前記洗濯物を掻き揚げる複数の掻き揚げ部材と、
前記回転ドラムの前記一端の開口から前記回転ドラムの内部にミストを噴霧する噴霧手段とを備え、
前記噴霧手段は、前記駆動手段が前記回転ドラムを回転駆動して前記掻き揚げ部材が前記洗濯物を掻き揚げて、前記洗濯物が前記回転ドラム内周面にほぼ張り付いた状態で、前記回転ドラムの内部に前記ミストを噴霧することを特徴とする噴霧処理機。
【請求項２】
水平軸の周りに回転可能に支持され、左右の両端が開口し、乾燥状態の洗濯物が収容される回転ドラムと、
前記回転ドラムを回転駆動する駆動手段と、
前記回転ドラムの内周面に突設され、前記回転ドラムの回転に伴って前記洗濯物を掻き揚げる複数の掻き揚げ部材と、
前記回転ドラムの前記両端の開口から前記回転ドラムの内部にミストを噴霧する噴霧手段とを備え、
前記噴霧手段は、前記駆動手段が前記回転ドラムを回転駆動した状態で、前記回転ドラムの内部に前記ミストを噴霧することを特徴とする噴霧処理機。
【請求項３】
請求項１に記載の噴霧処理機において、
前記回転ドラムは、前記左右の他端も開口し、
前記噴霧手段は、前記ミストを前記回転ドラムの前記他端の開口からも前記回転ドラムの内部に噴霧することを特徴とする噴霧処理機。
【請求項４】
請求項３に記載の噴霧処理機において、
前記噴霧手段は、前記回転ドラムの前記一端の開口に対向した複数の第１の噴霧ノズルと、前記回転ドラムの前記他端の開口に対向した複数の第２の噴霧ノズルとを有することを特徴とする噴霧処理機。
【請求項５】
請求項１または２に記載の噴霧処理機において、
前記駆動手段は、前記回転ドラムを間欠的に回転駆動し、
前記噴霧手段は、前記回転ドラムの回転数が所定の回転数以上に達している間の少なくとも一部において、前記ミストを噴霧することを特徴とする噴霧処理機。
【請求項６】
請求項５に記載の噴霧処理機において、
前記駆動手段は、前記回転ドラムの正転駆動及び逆転駆動を繰り返し、
前記噴霧手段は、前記回転ドラムの正転駆動及び逆転駆動の各々における回転数が回転数以上に達している間の少なくとも一部において、前記ミストを噴霧することを特徴とする噴霧処理機。
【請求項７】
請求項１または２に記載の噴霧処理機において、
前記噴霧手段は、前記洗濯物が前記回転ドラムの内周面のほぼ全周囲にほぼ一様に張り付いた時に、前記ミストを噴霧することを特徴とする噴霧処理機。
【請求項８】
請求項１または２に記載の噴霧処理機において、
前記回転ドラムの内部に温風を送風する温風手段を更に備えることを特徴とする噴霧処理機。
【発明の詳細な説明】
【技術分野】
【０００１】
本発明は、洗濯物を収容した回転ドラム内にミストを噴霧する噴霧処理機に関する。
【背景技術】
【０００２】
次のような乾燥機が知られている。この乾燥機は、衣類にミストを噴霧しながら温風により乾燥させることによって、衣類のしわを伸ばして乾燥させるものであり、垂直軸周りに回転する縦型の内槽を有し、内層内の衣類を攪拌翼を回転させて攪拌しながらミストを噴霧することにより、ミストが衣類全体に万遍なく噴霧されるようにしている（例えば、特許文献１）。
【０００３】
【特許文献１】特開２００３−１１１９９８号公報
【発明の開示】
【発明が解決しようとする課題】
【０００４】
しかしながら、従来の乾燥機では、衣類は縦型の内槽の下部にまとまって収容されるため、攪拌翼を回転させて攪拌したとしても、衣類全体に均一にミストを噴霧することができない可能性があった。
【課題を解決するための手段】
【０００５】
本発明による噴霧処理機は、水平軸の周りに回転可能に支持され、少なくとも左右の一端が開口し、乾燥状態の洗濯物が収容される回転ドラムと、回転ドラムを回転駆動する駆動手段と、回転ドラムの内周面に突設され、回転ドラムの回転に伴って洗濯物を掻き揚げる複数の掻き揚げ部材と、回転ドラムの一端の開口から回転ドラムの内部にミストを噴霧する噴霧手段とを備え、噴霧手段は、駆動手段が回転ドラムを回転駆動して掻き揚げ部材が洗濯物を掻き揚げて、洗濯物が回転ドラム内周面にほぼ張り付いた状態で、回転ドラムの内部にミストを噴霧することを特徴とする。
本発明による噴霧処理機はまた、水平軸の周りに回転可能に支持され、左右の両端が開口し、乾燥状態の洗濯物が収容される回転ドラムと、回転ドラムを回転駆動する駆動手段と、回転ドラムの内周面に突設され、回転ドラムの回転に伴って洗濯物を掻き揚げる複数の掻き揚げ部材と、回転ドラムの両端の開口から回転ドラムの内部にミストを噴霧する噴霧手段とを備え、噴霧手段は、駆動手段が回転ドラムを回転駆動した状態で、回転ドラムの内部にミストを噴霧することを特徴とする。
本発明では、回転ドラムは、左右の他端も開口し、噴霧手段は、ミストを回転ドラムの他端の開口からも回転ドラムの内部に噴霧するようにしてもよい。
噴霧手段は、回転ドラムの一端の開口に対向した複数の第１の噴霧ノズルと、回転ドラムの他端の開口に対向した複数の第２の噴霧ノズルとを有するようにしてもよい。
駆動手段は、回転ドラムを間欠的に回転駆動し、噴霧手段は、回転ドラムの回転数が所定の回転数以上に達している間の少なくとも一部において、ミストを噴霧するようにしてもよい。
駆動手段は、回転ドラムの正転駆動及び逆転駆動を繰り返し、噴霧手段は、回転ドラムの正転駆動及び逆転駆動の各々における回転数が回転数以上に達している間の少なくとも一部において、ミストを噴霧するようにしてもよい。
噴霧手段は、洗濯物が回転ドラムの内周面のほぼ全周囲にほぼ一様に張り付いた時に、ミストを噴霧するようにしてもよい。
回転ドラムの内部に温風を送風する温風手段を更に備えるようにしてもよい。
【発明の効果】
【０００６】
本発明によれば、水平軸の周りに回転可能に支持された回転ドラム内に洗濯物を収容し、回転ドラムを回転させながら洗濯物が回転ドラム内周面にほぼ張り付いた状態でミストを噴霧する、または回転ドラムを回転させながら回転ドラムの左右の両端からミストを噴霧することにより、洗濯物にムラなくミストを噴霧することができる。
【発明を実施するための最良の形態】
【０００７】
図１は、本実施の形態における噴霧処理機を模式的に示した図である。なお、図１（ａ）は、噴霧処理機１００の正面図であり、図１（ｂ）は、噴霧処理機１００の右側面図である。
【０００８】
この噴霧処理機１００は、乾燥した洗濯物を均一に湿らせることを目的として使用される。洗濯物は、ある程度湿り気を保った状態で広げてアイロンをかけることにより、しわを伸ばして乾燥させることができる。これは、家庭用のアイロンを用いる場合でも、業務用のロールアイロナーを用いる場合でも同様である。例えば、ロールアイロナーを用いてシーツ等の洗濯物のしわ伸ばしや乾燥を行う場合には、ロールアイロナーへの投入時に、洗濯物が正常に広げられていないと、折り目が付いた状態で乾燥してしまい仕上がり不良となる。
【０００９】
このように仕上がり不良となった洗濯物は、再度、湿り気を持たせた後にロールアイロナーにかける必要があるが、湿り気を持たせるだけのために改めて洗濯を行うのは無駄である。また、霧吹き等で湿り気を持たす方法も考えられるが、手間がかかる上に、洗濯物を均一に湿らせるのは困難である。そこで、このように一旦乾燥した洗濯物を均一に湿らせるために、本実施の形態における噴霧処理機１００が用いられる。なお、本実施の形態では、洗濯物の乾燥率が大気中の絶対湿度の数％以下である状態を、洗濯物が乾燥状態にあるものとし、このような乾燥状態にある洗濯物を均一に湿らせる。以下、本実施の形態における噴霧処理機１００の詳細について説明する。
【００１０】
図１（ａ）および（ｂ）に示すように、噴霧処理機１００は、回転ドラム１０１と、駆動モータ１０２と、駆動ローラ１０３と、前扉１０４と、スプレノズル（噴霧ノズル）１０５、１０６、および１０７とを備えている。
【００１１】
回転ドラム１０１は、噴霧処理機１００の水平軸の周りに回転可能に支持され、図１（ａ）に示す正面図においては前後の両端が開口している。また、図１（ｂ）に示す右側面図においては左右の両端が開口している。なお、本実施の形態では、表現を統一するために、図１（ｂ）に示す右側面図に基づいて、回転ドラム１０１の左右の両端が開口しているものとする。すなわち、回転ドラム１０１は、左側開口１０１ｂと右側開口１０１ｃとを有しているものとする。
【００１２】
この回転ドラム１０１内部には、前扉１０４から投入される乾燥状態の洗濯物が収容される。この回転ドラム１０１は、駆動モータ１０２による駆動力により駆動される駆動ローラ１０３により噴霧処理機１００の水平軸周りに回転する。回転ドラム１０１の内部には、４つの桟１０１ａが内周に沿って９０度間隔で設置されている。
【００１３】
この桟１０１ａは、回転ドラムの左側開口１０１ｂから右側開口１０１ｃまで延在している。この桟１０１ａにより、回転ドラム１０１の回転に伴って、回転ドラム１０１の底部に溜まった洗濯物が上部に掻き揚げられる。なお、本実施の形態では、回転ドラム１０１内に４つの桟１０１ａが設置されている例について説明するが、この数は４つに限定されず、回転ドラム１０１の大きさによって設置数を変えるようにしてもよい。また、回転ドラム１０１の内周面には、図１（ｂ）において点線で示す通風孔１０１ｄ、例えばパンチング穴が開けられており、回転ドラム１０１の内周面は通気性に構成されている。
【００１４】
図２は、回転ドラム１０１の回転に伴って桟１０１ａにより洗濯物が掻き揚げられた状態を模式的に示す図である。図２（ａ）は、回転ドラム１０１の回転数が低い場合の洗濯物の掻き揚げ状態を示している。すなわち、回転ドラム１０１の回転数が低い場合には、桟１０１ａによって上方に掻き揚げられた洗濯物は、重力により落下するため、回転ドラム１０１内でばらけた状態になる。
【００１５】
一方、図２（ｂ）は、回転ドラム１０１の回転数が高い場合の洗濯物の掻き揚げ状態を示している。すなわち、回転ドラム１０１の回転数が一定の回転数以上になった場合には、桟１０１ａによって上方に掻き揚げられた洗濯物は、回転ドラム１０１の回転に伴って発生する遠心力により回転ドラム１０１の内周面にほぼ一様に張り付いた状態となる。
【００１６】
スプレノズル１０５は、回転ドラム１０１の左側開口１０１ｂに対向して、すなわち回転ドラム１０１の左側開口１０１ｂに臨んで、上部２箇所に、それぞれのノズルの向きが斜め下方に向くように設置される。これによって、スプレノズル１０５からは、噴霧処理機１００の正面側、すなわち回転ドラム１０１の左側開口１０１ｂの上部から回転ドラム１０１の中心方向に向けてミストが噴霧される。なお、２つのスプレノズル１０５は、ノズルカバー１０５ａ内に収容されており、それぞれが水平方向に回転ドラムの中心を挟んで所定の間隔で配置されている。
【００１７】
スプレノズル１０６は、回転ドラム１０１の右側開口１０１ｃに対向して、すなわち回転ドラム１０１の右側開口１０１ｃに臨んで、上部２箇所に、それぞれのノズルの向きが斜め下方に向くように設置される。これによって、スプレノズル１０６からは、噴霧処理機１００の背面側、すなわち回転ドラム１０１の右側開口１０１ｃの上部から回転ドラム１０１の中心方向に向けてミストが噴霧される。なお、２つのスプレノズル１０６は、ノズルカバー１０６ａ内に収容されており、それぞれが水平方向に回転ドラムの中心を挟んで所定の間隔で配置されている。
【００１８】
スプレノズル１０７は、回転ドラム１０１の右側開口１０１ｃに対向して、すなわち回転ドラム１０１の右側開口１０１ｃに臨んで、下部２箇所に、それぞれのノズルの向きが斜め上方に向くように設置される。これによって、スプレノズル１０７からは、噴霧処理機１００の背面側、すなわち回転ドラム１０１の右側開口１０１ｃの下部から回転ドラム１０１の中心方向に向けてミストが噴霧される。なお、２つのスプレノズル１０７は、ノズルカバー１０７ａ内に収容されており、それぞれが水平方向に回転ドラムの中心を挟んで所定の間隔で配置されている。
【００１９】
なお、ミストとは、図３に示すようにスプレノズルの細く搾ったノズル部３ａから噴霧される霧状の水を意味する。また、ミストには、細く搾ったノズル部３ａから噴霧される温水や蒸気も含まれる。
【００２０】
噴霧処理機１００は、不図示の制御装置を備えており、回転ドラム１０１の回転、および各スプレノズルからのミストの噴霧は、該制御装置によって制御される。制御装置は、例えば、ＣＰＵ、メモリ、およびその他周辺回路によって構成され、ＣＰＵがメモリに記録されている制御プログラムを実行することによって噴霧処理機１００を制御するための処理が実行される。
【００２１】
また、噴霧処理機１００は、不図示の操作部材を備えており、使用者は、該操作部材を操作することによって、噴霧処理機１００の運転開始や終了を指示することができる。上記制御装置は、使用者によって操作部材が操作されることによって、操作部材から出力される操作信号に基づいて、噴霧処理機１００を動作させる。具体的には、制御装置は、使用者が回転ドラム１０１内に洗濯物を投入し、操作部材を操作して噴霧処理の開始を指示したときに、以下のように噴霧処理を開始する。
【００２２】
まず、制御装置は、駆動モータ１０２を制御して回転ドラム１０１の回転を開始させる。このとき、制御装置は、図４（ａ）に示すように回転ドラム１０１の回転方向および回転速度を制御する。具体的には、制御装置は、回転ドラム１０１の右方向への正転駆動を開始した後、徐々に回転数を上げて最高回転数、例えば４０〜４５ｒｐｍに到達させ、最高回転数で所定時間、例えば５〜１０秒間回転ドラムを回転させる。その後、制御装置は、回転ドラム１０１の回転数を徐々に低下させ、回転数が０になったときに回転ドラムの回転方向を左方向へ変化させる。
【００２３】
制御装置は、回転ドラム１０１の左方向への逆転駆動を開始した後、徐々に回転数を上げて最高回転数、例えば４０〜４５ｒｐｍに到達させ、最高回転数で所定時間、例えば５〜１０秒間回転ドラムを回転させる。その後、制御装置は、回転ドラム１０１の回転数を徐々に低下させ、回転数が０になったときに回転ドラムの回転方向を右方向へ変化させて、再度正転駆動を開始する。制御装置は、これを繰り返すことにより、回転ドラム１０１を正転駆動、逆転駆動を繰り返しながら間欠的に駆動させる。
【００２４】
なお、制御装置は、回転ドラム１０１の正転駆動と逆転駆動との繰り返しを、以下に説明するミストの噴霧によって洗濯物を均一に湿らせるために必要な時間、例えは１０分間継続する。この正転駆動と逆転駆動とを繰り返す合計時間は、あらかじめ設定されていてもよいし、使用者が洗濯物の量に応じて任意に設定できるようにしてもよい。あるいは、制御装置が洗濯物の量を検出して、洗濯物の量に応じた最適な時間を設定するようにしてもよい。
【００２５】
そして、制御装置は、図４（ｂ）に示すように、回転ドラム１０１の正転駆動および逆転駆動における回転数が最高回転数に到達している間、スプレノズル１０５〜１０７のそれぞれから回転ドラム１０１内にミストを噴霧する。これによって、回転ドラム１０１の回転数が高い場合、すなわち上述したように、桟１０１ａによって上方に掻き揚げられた洗濯物が遠心力で回転ドラム１０１の内周面にほぼ一様に張り付いている状態でミストを噴霧することができる。
【００２６】
これにより、スプレノズル１０５〜１０７のそれぞれから噴霧されたミストは、回転ドラム１０１内に落下して回転ドラム１０１の下部に張り付いている洗濯物に次々と付着していくため、回転ドラム１０１の回転に伴って回転ドラム１０１内の全ての洗濯物を万遍なく湿らせることができる。
【００２７】
さらに、本実施の形態では、回転ドラム１０１の回転方向を正転方向と逆転方向とに交互に切り替えながら、回転ドラム１０１の回転数が最高回転数に達している間、ミストを噴霧するようにした。このように、回転ドラム１０１の回転方向を正転方向と逆転方向とに交互に切り替えることにより、洗濯物は回転方向が切り換わるタイミングで一旦回転ドラム１０１の下部に落下した後、改めて桟１０１ａによって掻き揚げられて内周面にほぼ一様に張り付くことになる。これによって、ミストが付着する洗濯物の面を一定時間ごとに変えることができるため、洗濯物の全体に一様にミストを噴霧することができ、洗濯物を均一に湿らせることができる。
【００２８】
使用者は、このようにして均一に湿らせた洗濯物をアイロンがけしたりロールアイロナーへ通すことによって、洗濯物のしわを伸ばして乾燥させることができる。
【００２９】
以上説明した本実施の形態によれば、以下のような作用効果を得ることができる。
（１）制御装置は、回転ドラム１０１を回転駆動させ、桟１０１ａが洗濯物を掻き揚げることにより洗濯物が回転ドラム１０１の内周面にほぼ張り付いた状態で、回転ドラム１０１の内部にミストを噴霧するようにした。これによって、ミストは、回転ドラム１０１内に落下して回転ドラム１０１の下部に張り付いている洗濯物に次々と付着していくため、回転ドラム１０１の回転に伴って回転ドラム１０１内の全ての洗濯物を万遍なく湿らせることができる。
【００３０】
（２）回転ドラム１０１は、左右の両端が開口し、当該両端の開口から回転ドラム１０１の内部にミストを噴霧するようにした。これによって、回転ドラム１０１内にミストを行き渡らせることができるため、効率的に洗濯物を湿らせることができる。
【００３１】
（３）スプレノズル１０５〜１０７は、それぞれ回転ドラム１０１の一端の開口に対向して設置するようにした。これによって、回転ドラム１０１の開口から内部にミストを噴霧することができる。
【００３２】
（４）制御装置は、回転ドラム１０１を正転駆動と逆転駆動とを繰り返しながら間欠的に回転駆動させ、回転ドラム１０１の回転数が最高回転数に達している間、回転ドラム１０１内にミストを噴霧するようにした。これによって、洗濯物は回転方向が切り換わるタイミングで一旦回転ドラム１０１の下部に落下した後、改めて桟１０１ａによって掻き揚げられて内周面にほぼ一様に張り付くことになるため、ミストが付着する洗濯物の面を一定時間ごとに変えることができ、洗濯物の全体に一様にミストを噴霧して洗濯物を均一に湿らせることができる。
【００３３】
―変形例―
なお、上述した実施の形態の噴霧処理機は、以下のように変形することもできる。
（１）上述した実施の形態では、回転ドラム１０１は、図１（ｂ）に示したように、左右の両端が開口している例について説明した。しかしながら、回転ドラム１０１は、左右の両端のうち、少なくとも一端が開口していればよい。この場合、スプレノズルは、開口している一端に対向して設置すればよい。
【００３４】
（２）上述した実施の形態では、噴霧処理機１００は、スプレノズル１０５、１０６、および１０７とを備える例について説明した。しかしながら、いずれか１つのスプレノズルのみを備えるようにしてもよい。また、いずれか２つのスプレノズルを組み合わせて備えるようにしてもよい。なお、噴霧処理機１００に搭載するスプレノズルの数は、回転ドラム１０１の大きさに基づいて設計時に決定されるようにしてもよい。
【００３５】
（３）上述した実施の形態では、制御装置は、回転ドラム１０１の正転駆動および逆転駆動における回転数が最高回転数に到達している間、回転ドラム１０１内にミストを噴霧する例について説明した。しかしながら、制御装置は、必ずしも回転ドラム１０１の回転数が最高回転数に到達している間、ミストの噴霧を継続しなくてもよい。例えば、制御装置は、回転ドラム１０１の回転数が最高回転数に到達している間の一部において、回転ドラム１０１内にミストを噴霧すればよい。
【００３６】
（４）上述した実施の形態では、制御装置は、回転ドラム１０１の正転駆動および逆転駆動における回転数が最高回転数に到達している間、回転ドラム１０１内にミストを噴霧する例について説明した。しかしながら、制御装置は、回転ドラムの回転数が所定の回転数以上に達している間、またはその一部において、回転ドラム１０１内にミストを噴霧するようにしてもよい。この場合の所定の回転数には、回転ドラム１０１内の洗濯物が、図２（ｂ）に示したように回転ドラム１０１の内周面にほぼ一様に張り付いた状態となるために必要な遠心力を発生させるのに十分な回転数が設定される。
【００３７】
（５）上述した実施の形態では、制御装置は、回転ドラム１０１を右方向に正転駆動させた後に左方向に逆転駆動させ、これを繰り返すことによって回転ドラム１０１を間欠的に駆動させる例について説明した。しかしながら、制御装置は、回転ドラム１０１を右方向または左方向のいずれか一方向にのみに間欠的に駆動させてもよい。この場合も、洗濯物は回転の停止と開始の間のタイミングで一旦回転ドラム１０１の下部に落下した後、改めて桟１０１ａによって掻き揚げられて内周面にほぼ一様に張り付くことになるため、上述した実施の形態と同様に、洗濯物を均一に湿らせることができる。
【００３８】
（６）噴霧処理機１００は、回転ドラム１０１の内部に温風を送風する送風口をさらに備えるようにし、制御装置は、回転ドラム１０１内にミストを噴霧しながら温風も送風するようにしてもよい。温風の送風タイミングとしては、温風の送風時期とミストの噴霧時期とが少なくとも一部重複していればよい。例えば、温風の送風時期とミストの噴霧時期とを完全に一致させてもよいし、ミストの噴霧時期に関係なく温風を送風し続けるようにしてもよい。なお、送風口は、回転ドラム１０１の通風孔１０１ｄを介して回転ドラム１０１の内部に温風を送風するように設置してもよい。例えば、回転ドラム１０１の上部の通風孔からから下部の通風孔に向けて温風が通過するように送風口を備えればよい。
【００３９】
あるいは、送風口を回転ドラム１０１の開口から回転ドラム１０１の内部に温風を送風するように設置してもよい。なお、回転ドラム１０１の開口から温風を送風する場合には、必ずしも回転ドラム１０１に通風孔を設ける必要はない。このように、回転ドラム１０１内にミストを噴霧しながら温風も送風することによって、温風によりミストを加温して洗濯物への浸透力を向上させることができ、更に効率的に洗濯物を湿らせることができる。また、温風を送風してミストを加温する以外にも、温水をミスト状にして噴霧することによっても同様の効果が得られる。
【００４０】
（７）上述した実施の形態では、制御装置は、回転ドラム１０１の正転駆動および逆転駆動における回転数が最高回転数に到達している間、スプレノズル１０５〜１０７のそれぞれから回転ドラム１０１内にミストを噴霧する例について説明した。しかしながら、制御装置は、回転ドラム１０１の回転数に関係なく、噴霧処理中は、連続してミストの噴霧を継続するようにしてもよい。このようにしても、回転ドラム１０１の回転数が最高回転数に到達している間にミストを噴霧できるため、上述した実施の形態と同様に回転ドラム１０１内の全ての洗濯物を万遍なく湿らせることができる。
【００４１】
なお、本発明の特徴的な機能を損なわない限り、本発明は、上述した実施の形態における構成に何ら限定されない。また、上述の実施の形態と複数の変形例を組み合わせた構成としてもよい。
【図面の簡単な説明】
【００４２】
【図１】噴霧処理機を模式的に示した図である。
【図２】桟による洗濯物の掻き揚げ状態を模式的に示した図である。
【図３】スプレノズルの詳細を模式的に示した図である。
【図４】回転ドラム１０１の回転方向、回転速度、およびミストの噴霧タイミングの一例を示す図である。
【符号の説明】
【００４３】
１００  噴霧処理機、１０１  回転ドラム、１０１ａ  桟、１０１ｂ  左側開口、１０１ｃ  右側開口、１０１ｄ  通風孔、１０２  駆動モータ、１０３  駆動ローラ、１０４  前扉、１０５、１０６、１０７  スプレノズル
【図１】
2010088717.tif 000003
【図２】
2010088717.tif 000004
【図３】
2010088717.tif 000005
【図４】
2010088717.tif 000006